(57)【特許請求の範囲】
【請求項１】
屋内壁面に裏面側が固定されるベース板と、該ベース板の表面側に被せられるカバーとを備え、当該ベース板の周縁には周壁部を立設し前記周壁部の上下左右にはケーブルの側面導入口を設け、また前記ベース板の内側に、二つの光コネクタ同士を接続するための光アダプタを挿脱可能とする挿入部および当該光アダプタに接続される光コネクタを収容する収容部と光ケーブルをループ状に収納可能とするよう前記側面導入口に連通してなる余長収納部とを隔離する仕切部を設け、
一方、前記余長収納部における上端寄り側には、円筒状のガイド壁部が形成され、その内側に前記ベース板背面部から当該ベース板内部に光ケーブルを導入するための背面導入孔を備え、当該背面導入口の内側には、光ケーブルの許容最小曲げ半径を確保するために前記背面導入口から次第に円弧状に隆起して形成され且つ前記円筒状のガイド壁部によって囲まれてなるケーブルガイドを備え、該ケーブルガイドの最上部位置に対向して、前記ガイド壁部の一部には、当該ガイド壁部を乗り越えて光ケーブルを保持するための凹溝を形成し、さらに前記ベース板の余長収納部内において、前記左側の周壁部、右側に位置する仕切部およびガイド壁部の下半側との間には、前記凹溝を介して導入された光ケーブルを当該余長収納部の内側にて保持しつつガイドするための対向壁を備えた円弧状のガイド溝が形成されるとともに、前記ベース板の上側の周壁部と前記ガイド壁部の上半側との間には、前記ベース板の背面導入口から導入された光ケーブルあるいは前記ベース板のいずれかの側面導入口から導入された光ケーブルが前記余長収納部内で巻回収容後、前記光コネクタ収容部内にガイドするためのガイド溝が形成されていることを特徴とする光ローゼット。
【発明の詳細な説明】
【技術分野】
【０００１】
本発明は、屋内に引き込まれた光屋外線または光屋内線と宅内光コードとの光学的接続に使用するために建物内に露出設置する光ローゼットに関する。
【背景技術】
【０００２】
従来、光コンセントには、建物内の配管出口に埋め込み設置する光アウトレットと、建物内に露出設置する光ローゼットとがある。このうち光ローゼットは、壁面に沿って出力用光ケーブルと入力用光ケーブルとを接続するための壁表面配線方式のみであり、光ケーブルの導入口を上下左右の４方向に設けていたものである。
【０００３】
具体的には特許文献１および特許文献２に開示されているように、一般的な光ローゼットの基本構造は身と、身に離脱可能に嵌合する蓋とによって形成されている。そして、身の部分に、底部の周縁に有する壁部を貫通していて出力用光ケーブルの導入口となるための溝が当該壁部の周方向における複数の部位に形成されているものが公知であった。
【先行技術文献】
【特許文献】
【０００４】
【特許文献１】特開２００８−２８７０８１号公報
【特許文献２】特開２０１０−１９１３９１号公報
【発明の概要】
【発明が解決しようとする課題】
【０００５】
しかしながら、従来の特許文献１および特許文献２における光ローゼットは、壁表面配線方式のみであるため、光ローゼットの壁面設置位置において当該光ローゼットの背面から壁面を貫通させて屋外から光ケーブルを導入させること、すなわち光ケーブルの側面導入ルートの他に背面導入ルートとを持ち合わせた光ローゼットは存在していなかった。
【０００６】
そこで、本発明は、叙上のような従来存した諸事情に鑑み案出されたもので、光ケーブルの側面導入ルートと背面導入ルートとを両立できるようにすることで、大幅な敷設工数の削減および美観に優れた施工を実現可能にした光ローゼットを提供することを目的とする。
【課題を解決するための手段】
【０００７】
上述した課題を解決するために、本発明にあっては、屋内壁面に裏面側が固定されるベース板と、該ベース板の表面側に被せられるカバーとを備え、当該ベース板の周縁には周壁部を立設し前記周壁部の上下左右にはケーブルの側面導入口を設け、また前記ベース板の内側に、二つの光コネクタ同士を接続するための光アダプタを挿脱可能とする挿入部および当該光アダプタに接続される光コネクタを収容する収容部と光ケーブルをループ状に収納可能とするよう前記側面導入口に連通してなる余長収納部とを隔離する仕切部を設け、
一方、前記余長収納部における上端寄り側には、円筒状のガイド壁部が形成され、その内側に前記ベース板背面部から当該ベース板内部に光ケーブルを導入するための背面導入孔を備え、当該背面導入口の内側には、光ケーブルの許容最小曲げ半径を確保するために前記背面導入口から次第に円弧状に隆起して形成され且つ前記円筒状のガイド壁部によって囲まれてなるケーブルガイドを備え、該ケーブルガイドの最上部位置に対向して、前記ガイド壁部の一部には、当該ガイド壁部を乗り越えて光ケーブルを保持するための凹溝を形成し、さらに前記ベース板の余長収納部内において、前記左側の周壁部、右側に位置する仕切部およびガイド壁部の下半側との間には、前記凹溝を介して導入された光ケーブルを当該余長収納部の内側にて保持しつつガイドするための対向壁を備えた円弧状のガイド溝が形成されるとともに、前記ベース板の上側の周壁部と前記ガイド壁部の上半側との間には、前記ベース板の背面導入口から導入された光ケーブルあるいは前記ベース板のいずれかの側面導入口から導入された光ケーブルが前記余長収納部内で巻回収容後、前記光コネクタ収容部内にガイドするためのガイド溝が形成されていることを特徴とする。
【発明の効果】
【０００８】
本発明によれば、光ケーブルの側面導入ルートと背面導入ルートとを両立できるようにすることで、大幅な敷設工数の削減および美観に優れた施工が実現可能となる。
【図面の簡単な説明】
【０００９】
【図１】本発明を実施するための一形態を示す光ローゼットの分解斜視図である。
【図２】同じくベース板の正面図である。
【図３】背面導入口の周辺構成を示すベース板の一部切欠斜視図である。
【図４】（ａ）は光ケーブル導入前の背面導入口の周辺構成を示す要部の断面図、（ｂ）は光ケーブル導入後の背面導入口の周辺構成を示す要部の断面図である。
【図５．１】背面導入口からケーブルガイドを介して余長収納部に導入される光ケーブルの組立状態の一例を示し、光ケーブルの一部を省略したベース板の正面図である。
【図５．２】同じく組立状態の一例を示し、光ケーブルを余長収納部まで引き回した状態を示すベース板の正面図である。
【図５．３】同じく光ケーブル先端に取り付けた光コネクタを光アダプタに光接続した状態のベース板の正面図である。
【図６】背面導入口からケーブルガイドを介して余長収納部に導入される光ケーブルの組立状態の他の例を示すベース板の正面図である。
【図７】側面導入口から余長収納部に導入される光ケーブルの組立状態の一例を示すベース板の正面図である。
【発明を実施するための形態】
【００１０】
以下、図面を参照して本発明に係る光コンセントの一形態を説明する。
本発明に係る光ローゼットは、扁平直方体に形成され、互いに分離可能に嵌合したベース板１とカバー２とを有する。ベース板１は、屋内壁面Ｗ（図３参照）にこの裏面側を当接し、上下のネジ孔３ａ、３ｂより壁面を貫通させるように木ネジ４をねじ込むことよって屋内壁面Ｗに固定され、その後でカバー２がベース板１の表面側に被せられる。
【００１１】
このベース板１には、図５．３、図６および図７に示すように、例えば光回線終端装置側の光コネクタＰと宅内の使用者側の光コネクタ（不図示）との二つの光コネクタ（例えば外被把持ＳＣ形コネクタプラグ）同士を接続するためのシャッタ機構Ｑを備えた光アダプタ５が当該ベース板１に形成されている保持爪を有する挿入部Ｈに把持された状態で配されている。また、挿入部Ｈの上側は、光アダプタ５に接続された光コネクタＰを収容するための収容部Ｇとなっている。このとき収容部Ｇおよび挿入部Ｈは、仕切部１５によって後述する余長収納部１４と隔離されている。
【００１２】
光アダプタ５は、斜め上方向に向けて開口している一方の嵌合部開口端にシャッタ機構Ｑを備え、使用者側の光コネクタ（図示せず）を嵌合させることによって、閉鎖方向に付勢しているシャッタ板を板バネの押圧力に抗して開放可能にしてなる。また、水平方向に開口している他方の嵌合部開口端には、光アダプタ５の不使用の場合においては、アダプタ用密閉キャップ５ａ（図１参照）によって閉塞され、一方、光アダプタ５を使用する場合においては当該アダプタ用密閉キャップ５ａが取り外される。
【００１３】
また、光アダプタ５の上側壁１３ａにおけるシャッタ機構Ｑ寄り側には、略矩形平板突起状の凸部２１を設け、その上面に自体が光アダプタ５であることを促す例えばプラグ挿入方向を示すマークや文字等を表示した表示部２２を備えている。そして、この凸部２１に対応して、カバー２の下端右側に設けられた開口部６が位置する前面には略矩形開口状の窓孔２３が形成されており、ベース板１にカバー２が取り付けられる際に、該窓孔２３に内側から前記凸部２１が嵌挿されることで、光アダプタ５はカバー２の開口部６内側で収容固定されると同時に、前記表示部２２がカバー２の表側から窓孔２３を通して視認できるものとなっている。
【００１４】
なお、図１に示すように、カバー２の下端右側に設けられた開口部６および窓孔２３に対応して、縦長矩形状の凹部となった貼着部３１をカバー２の片側一端に設け、この貼着部３１に注意喚起シールＳを貼り付けるようにしてある。
【００１５】
図１、図２、図５、図６、図７に示すように、ベース板１の周縁には周壁部１１が立設され、光ケーブルＫをベース板１内に導入させるための溝条となった側面導入口１２ａ、１２ｂ、１２ｃ、１２ｄがこの周壁部１１の上下左右の４方向に設けてある。すなわち、周壁部１１の右上角部を挟んで上側（上向き）および右側（右向き）に側面導入口１２ａ、１２ｂそれぞれが形成され、周壁部１１の左上角部の左側（左向き）に側面導入口１２ｃが形成され、周壁部１１の左下角部の下側（下向き）に側面導入口１２ｄが形成されている。なお、これら側面導入口１２ａ、１２ｂ、１２ｃ、１２ｄそれぞれの溝条内側には光ケーブルＫを咬持するための複数の尖端突起が形成されている。
【００１６】
これら側面導入口１２ａ、１２ｂ、１２ｃ、１２ｄは、ベース板１から立設したリブ１３によってそれぞれが閉塞されており、側面導入口１２ａ、１２ｂ、１２ｃ、１２ｄのうちの１つである例えば側面導入口１２ａ（図６参照）が使用される場合には、この側面導入口１２ａに対応した１つのリブ１３の根元位置をマイナスドライバ等で折り取って使用する。
【００１７】
また、ベース板１内側には、光ケーブルＫの余長をループ状にして収納可能とする略長円形状の余長収納部１４を備え、前記側面導入口１２ａ、１２ｂ、１２ｃ、１２ｄそれぞれはこの余長収納部１４に連通している。このとき、側面導入口１２ａと側面導入口１２ｂとは途中で合流して余長収納部１４に連通している。
【００１８】
余長収納部１４は、図１、図２、図５、図６および図７に示すように、周壁部１１と前記仕切部１５とによって囲繞された略長円形状のベース板１底部によって形成され、周壁部１１と仕切部１５とには、光ケーブルＫの浮き上がりを防止するための略先丸形状の抑え部１６が余長収納部１４の中央部へ向かって突出している。
【００１９】
また、余長収納部１４内側における上端寄り側には、円筒状のガイド壁部１７が形成され、その内側にはベース板１背面部から当該ベース板１内部に光ケーブルＫを導入するための円孔状の背面導入口１８と、前記木ネジ４の２個を収容保持しておくための各一対の突起爪による２つの保持部１９が形成されている。なお、この木ネジ４は、ベース板１を屋内壁面Ｗに固定する際に、保持部１９から取り出されて使用される。
【００２０】
背面導入口１８の内側には、図３、図４に示すように、光ケーブルＫの許容の最小曲げ半径を確保しつつ当該背面導入口１８から余長収納部１４内に光ケーブルＫが導入されるよう背面導入口１８から次第に円弧状に隆起してなるケーブルガイド４１を備えている。また、ケーブルガイド４１の最上部位置に対向して、ガイド壁部１７の一部には、ガイド壁部１７を乗り越えて光ケーブルＫを保持するための凹溝４２が形成され、さらに、ケーブルガイド４１の最上部と凹溝４２との間で光ケーブルＫの浮き上がりを防止するための略先角形状の抑え部４３が内側へ向かって突出している。なお、ケーブルガイド４１と前記保持部１９との間は、ガイド壁部１７より内側に延びる仕切部４４によって隔離されている。
ちなみに、図中４１ａは前記ケーブルガイド４１の円弧状部を示す。
【００２１】
また、図１および図２に示すように、余長収納部１４内において、左側に位置する周壁部１１と右側に位置する仕切部１５、およびガイド壁部１７の下半側との間には、凹溝４２を介して導入された光ケーブルＫを余長収納部１４内側にて保持しつつガイドするための対向壁を備えた円弧状のガイド溝４５が形成されている。なお、凹溝４２から導入された光ケーブルＫをガイド溝４５に嵌合保持させるために、当該ガイド溝４５の導入端側には抑え部４６が内側へ向かって突出している。また、このガイド溝４５に嵌合されている光ケーブルＫは、ガイド壁部１７の上半側を巻回して再び余長収納部１４内に回装されてから、上側に位置する周壁部１１の内側に形成されているガイド溝４７を通って前記光コネクタの収容部Ｇ内に導入される。
【００２２】
カバー２のベース板１への固定の具体的な構成としては、ベース板１の左右の周壁部１１それぞれの外面に上下一対となって形成された係合凹部４８（図１参照）に、当該係合凹部４８に対応してカバー２の周壁部２ａ内面に突設した係合凸部（図示せず）が離脱可能に係合されることでカバー２はベース板１に固定される。また、閉じたカバー２をベース板１から外すときには、カバー２の周壁部２ａの４箇所に形成された切欠部４９（図１参照）にマイナスドライバ等の工具を挿入し、カバー２を弾性変形させることによって、係合凸部と係合凹部４８との係合を解除する。これにより、カバー２を持ち上げるだけで、カバー２をベース板１から容易に取り外すことができる。
【００２３】
なお、屋内壁面Ｗが比較的に硬度の低い石膏ボード等の脆弱な材質から形成されている場合において、ベース板１を屋内壁面Ｗに固定する際には、上記した木ネジ４を使用する代わりに、ベース板１の周壁部１１に形成されたガイド孔５１に挿入されたピン等の固定部材（図示せず）が当該側壁部１１の壁面Ｗに対して斜めに、すなわち、固定部材と壁面Ｗとのなす角度が鋭角となるように打ち付けられる。
【００２４】
次に、以上のように構成された形態についての組立、使用の一例について説明する。なお、ベース板１の挿入部Ｈには光アダプタ５が装着されているが、使用時には挿入部Ｈより光アダプタ５を予め取り外しておく。
【００２５】
先ず、光屋外線または光屋内線の４箇所の側面導入口１２ａ、１２ｂ、１２ｃ、１２ｄまたは背面導入口１８のいずれかの選定を行う。例えば、背面導入口１８を使用する場合には、図５．１に示すように、屋内壁面Ｗから突出した光ケーブルＫをベース板１背面側から背面導入口１８に予め挿通しておき、ベース板１背面側を屋内壁面Ｗに当接し、２箇所のネジ孔３ａ、３ｂより壁面を貫通させるように木ネジ４をねじ込むよってベース板１を屋内壁面Ｗに固定する。
【００２６】
次に、光ケーブルＫを余長分となる予め所定の長さに切断し、その先端に光コネクタＰを取り付ける。そして、図５．２に示すように、光ケーブルＫは、ケーブルガイド４１および凹溝４２を介して、余長収納部１４内のガイド溝４５に嵌合してから、ガイド壁部１７を１回だけ巻回した後、光コネクタＰが収容部Ｇに収まるよう余長収納部１４内を複数回、例えば２回にわたり引き回す。
【００２７】
そして、光ケーブルＫは、図５．３に示すように、ガイド溝４７を通って収容部Ｇ内に導入され、先端の光コネクタＰをキャップ５ａを取り外した光アダプタ５に接続してから、光アダプタ５をベース板１の挿入部Ｈに取り付ける。そして、カバー２をベース板１に取り付ける。
【００２８】
また、光ケーブルＫを余長分が余長収納部１４内に収まらない場合には、図６に示すように、光ケーブルＫは、ケーブルガイド４１および凹溝４２を介して、余長収納部１４内のガイド溝４５に嵌合してから、ガイド壁部１７を１回だけ巻回した後、光コネクタＰが収容部Ｇに収まる程度となるまで、余長収納部１４の内壁側位置から内方のガイド溝４５側に引き寄せた状態で複数回、例えば２回にわたり引き回す。
【００２９】
また、図７に示すように、側面導入口１２ａ、１２ｂ、１２ｃ、１２ｄのうちの１つである例えば側面導入口１２ａが使用される場合には、この側面導入口１２ａに対応した１つのリブ１３の根元位置をマイナスドライバ等で折り取る。そして、光ケーブルＫを余長収納部１４内に導入させ、光コネクタＰが収容部Ｇに収まるよう余長収納部１４内を複数回、例えば２回にわたり引き回した後、ガイド溝４７を通って収容部Ｇ内に導入し、先端の光コネクタＰをキャップ５ａを取り外した光アダプタ５に接続してから、光アダプタ５を挿入部Ｈに取り付ける。そして、カバー２をベース板１に取り付ける。
【符号の説明】
【００３０】
Ｇ                              収容部
Ｈ                              挿入部
Ｋ                              光ケーブル
Ｐ                              光コネクタ
Ｑ                              シャッタ機構
Ｓ                              注意喚起シール
Ｗ                              屋内壁面
１                              ベース板
２                              カバー
２ａ                            周壁部
４                              木ネジ
５                              光アダプタ
５ａ                            密閉キャップ
６                              開口部
１１                            周壁部
１２ａ、１２ｂ、１２ｃ、１２ｄ  側面導入口
１３                            リブ
１３ａ                          上側壁
１４                            余長収納部
１５                            仕切部
１７                            ガイド壁部
１８                            背面導入口
１９                            保持部
２１                            凸部
２２                            表示部
２３                            窓孔
３１                            貼着部
４１                            ケーブルガイド
４１ａ                          円孤状部
４２                            凹溝
４３、４６                      抑え部
４４                            仕切部
４５、４７                      ガイド溝
４８                            係合凹部
４９                            切欠部
５１                            ガイド孔
【図１】
0005718828.tif 000002
【図２】
0005718828.tif 000003
【図３】
0005718828.tif 000004
【図４】
0005718828.tif 000005
【図５．１】
0005718828.tif 000006
【図５．２】
0005718828.tif 000007
【図５．３】
0005718828.tif 000008
【図６】
0005718828.tif 000009
【図７】
0005718828.tif 000010